(57)【要約】  靴をユーザに固定するための速度依存性テザー及び速度依存性テザーを組み込む履物。速度依存性テザーは、剪断−増粘材料で充填されたチューブと、少なくとも１つのケーブル又はリボンとを含むことができる。ユーザによる通常の低い活動か又は激しい活動のない条件では、速度依存性テザーの変形抵抗は低く、速度依存性テザーが伸張されることを可能にして足の挿入又は取り出しを可能にする。例えば、スポーツイベント又は激しい活動への参加における活発なレベルでは、速度依存性テザーの変形抵抗は高く、速度依存性テザーが緩むことを防止し、靴をユーザ上に固定する。速度依存性テザーは、サドルに接続することができる。履物のための速度依存性中底、剪断−増粘流体で含浸された支持体、速度依存性フットコーン、及び速度依存性バンドも説明する。【選択図】図３
2020524590.tif 000002
【特許請求の範囲】
【請求項１】
靴であって、
第１端部と第２端部とを含む速度依存性テザー、
を含み、
前記速度依存性テザーは、剪断速度と共に粘性が増加する材料を含み、
前記速度依存性テザーの前記第１端部は、靴に取り付けられ、該速度依存性テザーの前記第２端部は、靴に又は該速度依存性テザーの該第２端部を靴に接続するように構成された閉鎖デバイスに取り付けられる、
ことを特徴とする靴。
【請求項２】
前記速度依存性テザーは、
少なくとも１つのリボンと、
剪断−増粘材料と、
を含むハウジングを更に含む、
ことを特徴とする請求項１に記載の靴。
【請求項３】
前記速度依存性テザーは、該速度依存性テザーが低い変形抵抗を示している間にユーザが足を靴の中に挿入することを可能にするように構成されることを特徴とする請求項１に記載の靴。
【請求項４】
前記速度依存性テザーは、該速度依存性テザーを前記材料の臨界剪断速度よりも高い剪断応力を受けさせることによって活性化され、それによって該速度依存性テザーが示す前記変形抵抗を増加させて靴を前記ユーザの前記足に固定するように構成されることを特徴とする請求項３に記載の靴。
【請求項５】
前記速度依存性テザーは、靴の中間靴底構成体を貫通するように構成されることを特徴とする請求項１に記載の靴。
【請求項６】
前記速度依存性テザーは、先端バンド、かかとバンド、アーチ下テザー、アーチ下バンド、足元テザー、及び足元バンドのうちの少なくとも１つであることを特徴とする請求項１に記載の靴。
【請求項７】
前記速度依存性テザーは、靴の基部及び靴底のうちの少なくとも一方内の溝を貫通することを特徴とする請求項６に記載の靴。
【請求項８】
靴であって、
第１端部と第２端部とを含み、剪断速度と共に粘性が増加する材料を含む速度依存性テザーと、
前記速度依存性テザーの前記第１端部に接続されたサドルと、
を含み、
前記速度依存性テザーの前記第２端部は、前記サドル、靴、靴ひも、又は靴閉鎖システムのうちの少なくとも１つに接続される、
ことを特徴とする靴。
【請求項９】
前記速度依存性テザーは、
少なくとも１つのリボンと、
剪断速度と共に粘性が増加する剪断−増粘流体である前記材料と、
を含むハウジングを更に含む、
ことを特徴とする請求項８に記載の靴。
【請求項１０】
前記速度依存性テザーの前記第１端部は、前記サドルの第１側に接続され、該速度依存性テザーの前記第２端部は、該サドルの反対側に接続されることを特徴とする請求項８に記載の靴。
【請求項１１】
前記速度依存性テザーの前記第１端部は、アンカー及び中空部分のうちの少なくとも一方であり、前記サドルの前記第１側は、アンカー及び中空部分のうちの他方であり、
前記速度依存性テザーの前記第２端部は、アンカー及び中空部分のうちの少なくとも一方であり、前記サドルの前記反対側は、アンカー及び中空部分のうちの他方である、
ことを特徴とする請求項１０に記載の靴。
【請求項１２】
前記速度依存性テザーは、該速度依存性テザーを臨界剪断速度よりも高い剪断応力を受けることによって活性化され、それによって該速度依存性テザーが示す変形抵抗を増加させて靴をユーザの足に固定するように構成されることを特徴とする請求項８に記載の靴。
【請求項１３】
靴のための速度依存性中底であって、
上側中底層と、
下側中底層と、
前記上側中底層と前記下側中底層の間に位置付けられて剪断速度と共に粘性が増加する材料と、
を含むことを特徴とする速度依存性中底。
【請求項１４】
前記上側中底層は、前記下側中底層に結合され、前記材料は、結合後に該上側中底層及び下側中底層の間に位置付けられることを特徴とする請求項１３に記載の速度依存性中底。
【請求項１５】
靴と一体に構成されることを特徴とする請求項１３に記載の速度依存性中底。
【請求項１６】
前記材料を活性化するように構成された少なくとも１つのリボンを更に含むことを特徴とする請求項１３に記載の速度依存性中底。
【請求項１７】
速度依存性中底を前記材料の臨界剪断速度よりも高い剪断応力を受けることによって活性化され、それによって速度依存性中底が受ける変形抵抗を増加させて足を前記靴内に支持するように構成されることを特徴とする請求項１３に記載の速度依存性中底。
【請求項１８】
身体部分を支持するための支持体であって、
支持体を構成するための母材と、
剪断速度と共に粘性が増加する材料と、
を含み、
前記母材は、前記材料で含浸される、
ことを特徴とする支持体。
【請求項１９】
靴と一体に形成されることを特徴とする請求項１８に記載の支持体。
【請求項２０】
スリーブ又は包帯のうちの少なくとも一方として形成されることを特徴とする請求項１８に記載の支持体。
【請求項２１】
支持体上の剪断歪みを増加させることによって活性化され、それによって支持体が受ける抵抗を増加させて前記身体部分を安定させるように構成されることを特徴とする請求項１８に記載の支持体。
【請求項２２】
靴であって、
第１端部と第２端部とを含み、剪断速度と共に粘性が増加する材料を含む速度依存性フットコーン、
を含み、
前記第１端部は、靴ひもに接続するための１つ又は２つ以上の接続部を含む、
ことを特徴とする靴。
【請求項２３】
前記速度依存性フットコーンは、
少なくとも１つのリボンと、
剪断−増粘材料と、
を含むハウジングを更に含む、
ことを特徴とする請求項２２に記載の靴。
【請求項２４】
前記少なくとも１つのリボンは、前記フットコーンの垂直軸線及び該フットコーンの水平軸線のうちの少なくとも一方に整列されることを特徴とする請求項２３に記載の靴。
【請求項２５】
前記速度依存性フットコーンは、該速度依存性フットコーンが低い変形抵抗を示す間にユーザが足を靴の中に挿入することを可能にするように構成され、
前記速度依存性フットコーンは、該速度依存性フットコーンを前記材料の臨界剪断速度よりも高い剪断応力を受けることによって活性化され、それによって該速度依存性フットコーンが示す変形抵抗を増加させて靴を前記ユーザの前記足に固定するように構成される、
ことを特徴とする請求項２２に記載の靴。
【請求項２６】
前記速度依存性フットコーンは、シートであることを特徴とする請求項２２に記載の靴。
【発明の詳細な説明】
【技術分野】
【０００１】
〔関連出願への相互参照〕
この出願は、これにより引用によってそれらの全体が組み込まれる、２０１７年６月２０日出願の米国仮特許出願第６２／５２２，４５８号、２０１７年６月２０日出願の米国仮特許出願第６２／５２２，４６４号、２０１７年６月２０日出願の米国仮特許出願第６２／５２２，４６６号、及び２０１７年６月２０日出願の米国仮特許出願第６２／５２２，４６９号に対する優先権を主張するものである。
本出願は、一般的に、速度依存性システムを使用する靴に関する。より具体的には、本出願は、速度依存性閉鎖システム、中底、及び支持体に関する。
【背景技術】
【０００２】
今日、靴及び他の履物は、典型的に従来の靴ひもでユーザの足に固定される。靴ひもは、スポーツ又はエクササイズのような高強度活動中に緩む又は解けてしまう場合がある。ユーザは、靴ひもをよりきつく結ぶことによってこれを是正することができるが、これは、ユーザにとって不快である場合があり、かつ活動中に依然として靴が緩む又は解けることをもたらす場合がある。
【先行技術文献】
【特許文献】
【０００３】
【特許文献１】米国特許第９，３０３，７１７号明細書
【特許文献２】米国特許出願第１５／０５７９４４号明細書
【特許文献３】米国特許第８，８５０，６７５号明細書
【非特許文献】
【０００４】
【非特許文献１】Ｎｅｎｎｏ他による文献「剪断−増粘流体を含含む速度依存性「動的ひも」の設計及び特質（Ｄｅｓｉｇｎ  ａｎｄ  ｐｒｏｐｅｒｔｉｅｓ  ｏｆ  ａ  ｒａｔｅ−ｄｅｐｅｎｄｅｎｔ  ’ｄｙｎａｍｉｃ  ｌｉｇａｍｅｎｔ’  ｃｏｎｔａｉｎｉｎｇ  ｓｈｅａｒ−ｔｈｉｃｋｅｎｉｎｇ  ｆｌｕｉｄ）」
【発明の概要】
【発明が解決しようとする課題】
【０００５】
すなわち、靴が、ユーザが足を挿入する時に緩み、高強度活動中に固定されることを可能にすることができる動的システムに対するニーズが存在する。靴及び他の履物の追加の支持及び快適性に対するニーズも存在する。
【課題を解決するための手段】
【０００６】
実施形態によれば、靴は、第１端部と第２端部とを含む速度依存性テザーを含むことができ、速度依存性テザーは、剪断速度と共に粘性が増加する材料を含み、速度依存性テザーの第１端部は、靴に取り付けられ、速度依存性テザーの第２端部は、靴又は速度依存性テザーの第２端部を靴に接続するように構成された閉鎖デバイスに取り付けられる。
【０００７】
実施形態によれば、靴は、第１端部と第２端部とを含む速度依存性テザーを含むことができ、速度依存性テザーは、剪断速度と共に粘性が増加する材料と、速度依存性テザーの第１端部に接続されたサドルとを含み、速度依存性テザーの第２端部は、サドル、靴、靴ひも、又は靴閉鎖システムのうちの少なくとも１つに接続される。
【０００８】
実施形態によれば、靴のための速度依存性中底は、上側中底層と、下側中底層と、上側中底層と下側中底層の間に位置付けられた剪断速度と共に粘性が増加する材料とを含むことができる。
【０００９】
実施形態によれば、身体部分を支持するための支持体は、支持体を構成するための基材と剪断速度と共に粘性が増加する材料とを含むことができ、母材は、この材料で含浸される。
【００１０】
実施形態によれば、靴は、第１端部と第２端部とを含む速度依存性フットコーンを含むことができ、速度依存性テザーは、剪断速度と共に粘性が増加する材料を含み、第１端部は、靴ひもに接続する１つ又は２つ以上の接続部を含む。
【００１１】
本発明の特徴及び利点は、類似の参照番号が同一、機能的に類似、及び／又は構造的に類似な要素を全体的に示す以下の図面から明らかであろう。
【図面の簡単な説明】
【００１２】
【図１Ａ】実施形態による速度依存性テザーの概略図である。
【図１Ｂ】実施形態による速度依存性テザーの概略図である。
【図１Ｃ】実施形態による速度依存性テザーの概略図である。
【図２Ａ】実施形態による、靴に使用される速度依存性テザーの外側図である。
【図２Ｂ】速度依存性テザーを有する図２Ａの靴の内側図である。
【図３】速度依存性テザーを有する図２Ａの靴の斜視図である。
【図４】速度依存性テザーを有する図２Ａの靴の前面図である。
【図５Ａ】実施形態による、靴ひもを有する靴に使用される速度依存性テザーの側面図である。
【図５Ｂ】図５Ａの実施形態による、靴に使用されるコネクタの図である。
【図６Ａ】実施形態による、ＢＯＡレースシステムを有する靴に使用される速度依存性テザーの側面図である。
【図６Ｂ】図６Ａの実施形態による、靴に使用されるコネクタの図である。
【図７Ａ】実施形態による、迅速解除システムを有する靴に使用される速度依存性テザーの側面図である。
【図７Ｂ】実施形態による、迅速解除システムを有する靴に使用される速度依存性テザーの側面図である。
【図８Ａ】実施形態による、靴に使用される前足サドルを有する速度依存性テザーの外側図である。
【図８Ｂ】前足サドルを有する速度依存性テザーを有する図８Ａの靴の内側図である。
【図９】前足サドルを有する速度依存性テザーを有する図８Ａの靴の斜視図である。
【図１０】前足サドルを有する速度依存性テザーを有する図８Ａの靴の前面図である。
【図１１Ａ】実施形態による、靴に使用される速度依存性中底の外側図である。
【図１１Ｂ】速度依存性中底を有する図１１Ａの靴の内側図である。
【図１２】靴に使用される速度依存性中底を有する図１１Ａの靴の斜視図である。
【図１３】速度依存性中底を有する図１１Ａの靴の前面図である。
【図１４】実施形態による剪断−増粘材料を有する足首支持体の外側図である。
【図１５】実施形態による、靴に使用される速度依存性フットコーンの斜視図である。
【図１６】実施形態による、靴に使用される速度依存性バンドの部分上面図である。
【図１７】実施形態による、靴に使用される速度依存性バンドの側面図である。
【図１８】実施形態による、靴に使用される速度依存性バンドの側面図である。
【図１９】実施形態による、靴に使用される速度依存性バンドの側面図である。
【図２０Ａ】実施形態による、靴に使用される速度依存性バンドの側面図である。
【図２０Ｂ】速度依存性バンドを有する図２０Ａの靴の底面図である。
【図２１Ａ】実施形態による、靴に使用される速度依存性バンドの側面図である。
【図２１Ｂ】速度依存性バンドを有する図２１Ａの靴の底面図である。
【発明を実施するための形態】
【００１３】
本発明の実施形態を以下で詳細に議論する。実施形態を説明する際に、特定の用語を明暸性のために使用する。しかし、本発明は、そのように選択された特定の用語に限定されることを意図していない。当業者は、本発明の思想及び範囲から逸脱することなく他の同等部品を使用することができ、他の方法を展開することができることを認識するであろう。本明細書に引用する全ての参照文献は、各々が個々に組み込まれていたかのように引用によって組み込まれる。
【００１４】
図１Ａ〜図１Ｃを参照すると、速度依存性テザー１０が示されている。本発明と共に使用することができる速度依存性テザーの例は、引用によって本明細書に組み込まれているＷｅｔｚｅｌ他に付与された米国特許第９，３０３，７１７号明細書及びＷｅｔｚｅｌ他に付与された米国特許出願第１５／０５７９４４号明細書に見出すことができる。本発明と共に使用することができる速度依存性テザーの追加の例はまた、引用によって本明細書に組み込まれているＮｅｎｎｏ他による文献「剪断−増粘流体を含有する速度依存性「動的ひも」の設計及び特質（Ｄｅｓｉｇｎ  ａｎｄ  ｐｒｏｐｅｒｔｉｅｓ  ｏｆ  ａ  ｒａｔｅ−ｄｅｐｅｎｄｅｎｔ  ’ｄｙｎａｍｉｃ  ｌｉｇａｍｅｎｔ’  ｃｏｎｔａｉｎｉｎｇ  ｓｈｅａｒ−ｔｈｉｃｋｅｎｉｎｇ  ｆｌｕｉｄ）」に見出すことができる。
【００１５】
図１Ａは、初期状態の速度依存性テザー１０を示し、剪断力は、テザーには掛けられていない。速度依存性テザー１０は、閉鎖端１４を有するハウジング１２を含むことができる。ハウジング１２は、チューブ、シリンダ、又は他の細長中空ハウジングとすることができる。ハウジング１２は、エラストマー性とすることができる。一例では、ハウジング１２は、エラストマーチューブである。閉鎖端１４の各々は、有刺プラグ１６で閉鎖することができる。各有刺プラグ１６は、流体又は材料がハウジング１２の内部１８とハウジング１２の外部との間で流れる又は移動することができないように閉鎖端１４を密封することができる。これに代えて、ハウジング１２の閉鎖端１４は、ハウジング１２の材料で密封されるようにいずれかの公知の構造で閉鎖することができる。ハウジング１２又はエラストマーチューブ内に、剪断−増粘材料２０及び１つ又は２つ以上のケーブル又はリボン２２が存在することができる。リボン２２は、閉鎖端１４又は有刺プラグ１６に取り付けることができる。２つのリボン２２が描かれているが、より多く又はより少ないものを設けることができる。ハウジング１２又はエラストマーチューブは、ハウジング１２と共に剪断−増粘材料２０を構成することができる。閉鎖端１４及び／又は有刺プラグ１６は、ハウジング１２内に剪断−増粘材料２０を密封することができる。剪断−増粘材料２０は、剪断−増粘流体、非ニュートン流体、ダイラタント、又は剪断速度と共に粘性が増加するあらゆる材料のうちの少なくとも１つとすることができる。
【００１６】
図１Ｂは、矢印２４の方向にゆっくりした変形を受けている速度依存性テザー１０を描いている。矢印２４は、速度依存性テザー１０に印加された低い力を表すことができる。ハウジング１２が矢印２４の方向に移動すると、有刺プラグ１６で閉鎖端１４に取り付けられたリボン２２も矢印２４の方向に移動する。移動するハウジング１２及び互いを通過して摺動するリボン２２によって生成される剪断速度は、剪断−増粘材料２０の臨界剪断速度よりも小さい場合がある。これは、低い粘性と速度依存性テザー１０の比較的低い伸張抵抗とを示す剪断−増粘材料２０をもたらす場合がある。
【００１７】
図１Ｃは、矢印２６の方向に速い変形を受けている速度依存性テザー１０を描いている。矢印２６は、速度依存性テザー１０に印加された高い力を表すことができる。移動するハウジング１２及び互いを通過して摺動するリボン２２によって生成される剪断速度は、閉鎖された剪断−増粘材料２０の臨界剪断速度を超える場合がある。これは、高い粘性を有する又は固体のような状態にある剪断−増粘材料２０をもたらす場合がある。これは、速度依存性テザー１０の伸張抵抗を劇的に増加させる高い剪断応力を生成する場合がある。
【００１８】
図２Ａ及び図２Ｂは、１つ又は２つ以上のテザー３２を使用する靴３０の外側図を示している。１つ又は２つ以上のテザー３２は、１つ又は２つ以上の速度依存性テザー１０とすることができる。１つ又は２つ以上のテザー３２は、靴３０の接続部３４で靴３０に結合することができる。テザー３２には、靴３０を備えることができる。これに代えて、テザー３２は、従来の結び靴ひも又は非結び靴ひものような既存の靴ひもを置換するために別々に設けることができる。図２Ａ及び図２Ｂは、４つのテザー３２を靴に示すが、より多くの又はより少ないテザー３２を靴３０に使用することができる。テザー３２の１つ又は２つ以上は、速度依存性テザー１０を含むことができ、又は速度依存性テザー１０によって置換することができる。例えば、靴３０内のテザー３２の全てが速度依存性テザー１０である場合がある。これに代えて、テザー３２は、従来の靴ひも及び速度依存性テザー１０の組合せである場合がある。これに加えて、速度依存性テザー１０は、最も多くの剪断応力を受ける靴３０の領域に戦略的に配置することができる。例えば、速度依存性テザー１０は、中足ひも結びゾーン３６、前足ひも結びゾーン３８、及び／又は上側ひも結びゾーン４０に配置することができる。速度依存性テザー１０の箇所は、ユーザにとって靴３０の望ましい履き心地及び機能に基づいて選択することができる。
【００１９】
図３及び図４は、内側４２から外側４４まで靴の上部にわたって包んでいる靴３０のテザー３２を描いている。テザー３２は、既存のひも穴を通して靴３０に取り付けることができる。テザー３２は、例えば、ひも穴、アンカー、中空部分、又はフックを用いて靴３０及び／又は接続部３４に取り付けることができる。テザー３２の一端は、中空部分を含むことができ、テザー３２の反対端は、アンカー部分を含むことができる。このようにして、テザー３２の一端は、靴３０の外側４４及び内側４２の両側で接続部３４（例えば、ひも穴）を通して螺入することができる。通した状態で、アンカーは、中空部分との接続にもたらすことができ、すなわち、テザー３２を互いに接続する。
【００２０】
これに代えて、中空部分は、靴３０の内側４２又は外側４４に位置付けられたアンカー部分に接続することができ、一方、アンカー部分は、靴の内側４２及び外側４４の他方に接続する。これに代えて、テザー３２の両端は、中空部分を使用することができる。中空部分は、次に、靴３０の外側４４及び内側４２でアンカー部分に取り付けることができる。これに代えて、テザー３２の両端は、アンカー部分を使用することができる。アンカー部分は、次に、靴３０の外側４４及び内側４２で中空部分に取り付けることができる。これに代えて、テザー３２は、靴３０と一体に構成することができ、例えば、各テザー３２の両端は、靴３０に、例えば、靴の甲、中間靴底、又は靴底に縫い付けるあるいは結合することができる。テザー３２を靴３０に取り付ける他の実施形態も可能である。例えば、テザー３２は、サドル、靴、靴ひも、図７Ａ又は図７Ｂの迅速解除システム、あるいは他の靴閉鎖システムに接続することができる。
【００２１】
図４を参照すると、テザー３２の１つ又は２つ以上は、例えば、速度依存性テザー１０とすることができる。通常条件下、例えば、ユーザによる激しい活動がない条件下では、速度依存性テザー１０の変形抵抗は低い。これは、速度依存性テザー１０が足の挿入又は靴３０からの取り出しを可能にするために伸ばされることを可能にすることができる。しかし、例えば、移動が矢印４６の方向に示されている活発なレベルでは、速度依存性テザー１０の変形抵抗は、通常条件と比較して高い。例えば、スポーツイベント又は激しい活動への参加においては、活発なレベルをが受ける場合がある。速度依存性テザー１０の高い抵抗は、速度依存性テザー１０が弛むのを防止し、代わりにテザー３２は、靴３０をユーザの上に保持する。
【００２２】
図５Ａは、１つ又は２つ以上の靴ひも５２及び図１Ａ〜図１Ｃの速度依存性テザー１０のような１つ又は２つ以上のテザー５４の両方を使用することができる靴５０を描いている。同数のテザー５４を靴の反対側（図示せず）に設けることができる。図５Ａ及び図５Ｂを参照すると、テザー５４の第１端部５６上では、接続部５８が存在することができる。接続部５８は、靴５０上に位置付けられたアンカー部分又は中空部分にそれぞれ接続することができる中空部分又はアンカー部分とすることができる。これに代えて、接続部５８は、テザー５４が靴５０に固定的又は恒久的に接続されるように恒久的接続部とすることができる。テザー５４の第２の反対端６０上では、接続部６２が存在することができる。接続部６２は、図５Ｂに描くようなひも穴とすることができる。靴ひも５２は、従来通りに靴をひもで結ぶのと同じか又は類似の方式でテザー５４のひも穴を通して螺入することができる。
【００２３】
図６Ａは、ワイヤ及びクランク閉鎖システム７２と図１Ａ〜図１Ｃの速度依存性テザー１０のような１つ又は２つ以上のテザー７４との両方を使用することができる靴７０を描いている。ワイヤ及びクランク閉鎖システム７２は、ＢＯＡ（登録商標）システム又はＮｉｋｅ（登録商標）フライワイヤ技術とすることができる。同数のテザー７４を靴の反対側（図示せず）に設けることができる。図６Ａ及び図６Ｂを参照すると、テザー７４の第１端部７６上では、接続部７８が存在することができる。接続部７８は、靴７０上に位置付けられたアンカー部分又は中空部分にそれぞれ接続することができる中空部分又はアンカー部分とすることができる。これに代えて、接続部７８は、テザー７４が靴７０に固定的又は恒久的に接続されるように恒久的接続部とすることができる。テザー７４の第２反対端８０上では、図６Ｂに描くようなひも穴が存在することができる。ワイヤ及びクランク閉鎖システム７２のための靴ひも８２は、ＢＯＡ（登録商標）システム又はＮｉｋｅ（登録商標）フライワイヤ技術のようなワイヤ及びクランク閉鎖システム７２を従来通りに使用するのと同じか又は類似の方式でテザー７４のひも穴を通して螺入することができる。
【００２４】
これに代えて、図５Ａ〜図５Ｂ又は図６Ａ〜図６Ｂのいずれでも、テザー５４、７４は、それぞれ靴５０、７０と一体に構成することができ、あるいはテザー５４、７４は、それぞれ靴５０、７０に縫い付けられる又は結合することができる。端部６０、８０でのひも穴の代わりに、テザー５４、７４には、それぞれこれに代えて靴をひもで結ぶためのあらゆる公知の接続部を設けることができる。
【００２５】
３つのテザー５４、７４が図５Ａ〜図５Ｂ及び図６Ａ〜図６Ｂに描かれているが、より多くの又はより少ないテザー５４、７４をそれぞれ靴５０、７０の各側に使用することができる。テザー５４、７４の１つ又は２つ以上は、速度依存性テザー１０を含むことができる。例えば、靴５０、７０内のテザー５４、７４の全ては、速度依存性テザー１０とすることができる。これに加えて、テザー５４、７４及び速度依存性テザー１０は、最も多くの剪断応力を受ける靴の領域に戦略的に配置することができる。例えば、テザー５４、７４は、図２Ａに関して上述したように中足、前足、及び／又は上側ひも結びゾーンに配置することができる。靴ひも５２、８２は、靴内のひも穴を通して（テザー５４、７４が割愛されている箇所で）及びテザー５４、７４内のひも穴を通して（テザー５４／７４が含まれている箇所で）螺入することができる。
【００２６】
図７Ａは、迅速解除システム９４を更に含むことができるテザー９２を含む靴９０を描いている。迅速解除システム９４は、ユーザがテザー９２の１つ又は２つ以上を靴９０から迅速に解除させる磁気閉鎖又は他の迅速解除接続部とすることができる。例えば、迅速解除システム９４は、ラッチ、ノブ、又はバックルを含むことができる。テザー９２は、本明細書に説明するテザー１０、３２、５４、７４のいずれかとすることができる。図７Ｂは、迅速解除システム１０４を更に含むことができるテザー１０２を備える靴１００を描いている。迅速解除システム１０４は、ユーザがテザー１０２の１つ又は２つ以上を靴１００から迅速に解除することを可能にする磁気閉鎖又は他の迅速解除接続部とすることができる。例えば、迅速解除システム１０４は、ラッチ、ノブ、又はバックルを含むことができる。テザー１０２は、本明細書に説明するテザー１０、３２、５４、７４のいずれかとすることができる。
【００２７】
図８Ａ及び図８Ｂは、１つ又は２つ以上のテザー１１２をサドル１１６と組み合わせて使用する靴１１０の外側図を示している。１つ又は２つ以上のテザー１１２は、１つ又は２つ以上の速度依存性テザー１０とすることができる。１つ又は２つ以上のテザー１１２は、靴１１０の開口部１１４で靴１１０の下側部分１１１を貫通することができる。それぞれの開口部１１４は、外側１２０及び内側１２２に設けることができる。テザー１１２は、靴１１０と設けることができ、又はそれらは、従来の結び靴ひも又は非結び靴ひものような既存の靴ひもを置換するために別々に設けることができる。図８Ａ及び８Ｂは、靴１１０の外側１２０及び内側１２２の各々における３つのテザー１１２を描いているが、より多くの又はより少ないテザー１１２を靴１１０に使用することができる。テザー１１２の１つ又は２つ以上は、速度依存性テザー１０を含むことができ、又は速度依存性テザー１０によって置換することができる。例えば、靴１１０内のテザー１１２の全ては、速度依存性テザー１０とすることができる。これに加えて、速度依存性テザー１０は、最も多くの剪断応力を受ける靴１１０の領域に戦略的に配置することができる。例えば、速度依存性テザーは、図２Ｂに関して上述したように中足、前足、及び／又は上側ひも結びゾーンに配置することができる。
【００２８】
図８Ａ及び図８Ｂを引き続き参照すると、靴１１０はまた、テザー１１２に接続されたサドル１１６を含むことができる。サドル１１６は、先端サドルとすることができる。サドル１１６は、靴１１０の前足領域に中心があるように描かれているが、サドル１１６は、靴１１０のつま先１１７、舌革１１８、外側１２０、あるいは内側１２２、又はその組合せに向けてオフセットさせることができる。サドル１１６の位置は、活動中に安定性をユーザに与えるように選択することができる。サドル１１６は、支持及び安定性を靴１１０が位置付けられた靴１１０の領域に与えることができる。サドル１１６は、図１Ａ〜図１Ｃに関して説明されるように、テザー１１２が使用中に伸張及び収縮するにしたがって移動することができる。
【００２９】
単一サドル１１６が描かれているが、あらゆる数のサドル１１６を靴１１０に使用することができる。サドル１１６は、サドル１１６によって与えられる安定性を必要とする場合があるあらゆる領域に配置することができる。例えば、サドル１１６は、外側１２０及び内側１２２の各々に設けることができる。これに代えて、サドル１１６は、前足区域及びかかと区域の各々上に設けることができる。サドル１１６は、外側１２０と、内側１２２と、前足区域と、及びかかと区域との各々上に設けることができる。サドル１１６及びテザー１１２の数量及び配置箇所のあらゆる数の組合せを靴１１０に使用することができる。
【００３０】
図９及び図１０は、靴１１０のテザー１１２をサドル１１６に接続する例示的方式を描いている。第１テザー１１２ａは、第１テザー１１２ａの第１端部１２４で靴１１０の外側１２０でサドル１１６に接続することができる。第１テザー１１２ａは、次に、開口部１１４を通過して中間靴底構成体１２６に（すなわち、ユーザの足の下に）至り、中間靴底構成体１２６の反対側で別の開口部１１４を出ることができる。テザー１１２の第２反対端１２８は、靴１１０の内側１２２でサドル１１６に接続することができる。第２テザー１１２ｂ及び第３のテザー１１２ｃは、同様に接続することができる。これに代えて、テザー１１２は、サドル１１６と内側１２２の靴底内の箇所との間に接続することができる。個別のテザー１１２を外側１２０の対応する箇所に同じ方式で接続することができる。すなわち、第１テザー１１２ａは、靴１１０のそれぞれの部分とサドル１１６の間に結合された２つの別々のテザー１１２を含むことができる。実施形態によれば、別々のテザー１１２が、靴１１０の対向する外側１２０及び内側１２２に設けられ、靴の甲と中間靴底の間を延びるストラップ、バンド、又はウェブによって接合することができる。例えば、図３を参照されたい。これに代えて、単一テザー１１２が、靴１１０の外側１２０及び内側１２２の両方で延び、かつ靴の甲と中間靴底の間を延びることができる。
【００３１】
テザー１１２の各々は、サドル１１６上の開口部又は中空部分１３０を通してサドル１１６に取り付けることができる。テザー１１２は、アンカー部分をテザー１１２の第１端部１２４及び第２端部１２８の各々上に含むことができる。テザー１１２の第２端部１２８上のアンカーは、靴１１０の内側１２２でテザー１１２をサドル１１６に接続するためにサドル１１６上の中空部分１３０に挿入することができる。同様に、外側１２０では、テザー１１２の第１端部１２４上のアンカーは、テザー１１２をサドル１１６に接続するためにサドル１１６上の中空部分１３０に挿入することができる。
【００３２】
これに代えて、中空部分は、サドル１１６上に位置付けられたアンカーと共にテザー１１２上に位置付けることができる。これに加えて、テザー１１２の一端（第１端部１２４又は第２端部１２８のいずれか）は、アンカーを有することができ、反対端（第１端部１２４又は第２端部１２８のうちの他方）は、中空部分を有することができる。テザー１１２のアンカー部分は、サドル１１６上の中空部分に接続することができる。中空部分を有する反対端は、サドル１１６上のアンカーに接続することができる。これに代えて、テザー１１２は、サドル１１６と一体に構成することができる。テザー１１２は、サドル、靴、靴ひも（図示せず）、図７Ａ又は図７Ｂの迅速解除システム、又は他の靴閉鎖システムに接続することができる。速度依存性テザーをサドル及び／又は靴に取り付ける他の実施形態も可能である。
【００３３】
図１０を参照すると、テザー１１２の１つ又は２つ以上は、例えば、速度依存性テザー１０とすることができる。例えばユーザによる激しい活動がない通常条件下では、速度依存性テザー１０の変形抵抗は低い。これは、速度依存性テザー１０を足の挿入又は靴１１０からの取り出しを可能にするために伸張することを可能にすることができる。しかし、例えば、移動が矢印１３２の方向に示される活発なレベルでは、速度依存性テザー１０の変形抵抗は、通常条件下と比較して高い。例えば、スポーツイベント又は激しい活動への参加においては、活発なレベルが受ける場合がある。速度依存性テザー１０の高い抵抗は、速度依存性テザー１０が弛むのを防止し、代わりに速度依存性テザー１０は、靴１１０をユーザの上で保持する。サドル１１６は、活動中に安定性を与える。速度依存性テザー１０及びサドル１１６の組合せは、横方向カット及び方向変化（例えば、矢印１３２の方向の移動）によって生じた剪断歪み中に能動的な支持を提供しながら足を靴１１０内に保持するよう機能する。
【００３４】
本明細書に説明するテザーと共に使用することができる締結デバイスの例は、引用によって本明細書に組み込まれているＦｒｙｄｌｅｗｓｋｉ他に付与された米国特許第８，８５０，６７５号明細書に見出すことができる。別途説明するが、速度依存性システムの様々な組合せのいずれも組み合わせることができる。
【００３５】
図１１Ａ及び図１１Ｂを参照すると、速度依存性中底１４２を使用する靴１４０の外側図が描かれている。速度依存性中底１４２は、靴１４０と一体に設けることができる。一体型速度依存性中底１４２は、靴中底の２つの層を剪断−増粘材料の周りに互いに接着することによって構成することができる。これに代えて、速度依存性中底１４２は、靴１４０とは独立に設けることができる。独立速度依存性中底１４２は、靴１４０の中に換装することができる。独立速度依存性中底１４２は、接着剤又は縫い付け接続のような公知の技術を通して靴１４０に取り付けることができる。
【００３６】
図１１Ａ〜図１１Ｂと図１２と図１３とに示すように、速度依存性中底１４２は、靴１４０の従来の中底の代わりに又はそれを置換するように内部的に位置付けることができる。速度依存性中底１４２は、これに加えて、従来の中底の上に又は下に従来の中底に位置付けることができる。速度依存性中底１４２は、ハウジング１４４内に剪断−増粘材料１４６を含む密封ハウジング１４４で構成することができる。ハウジング１４４は、接着剤又は他の公知の結合技術によって互いに結合された中底の上部層１４４ａ及び下部層１４４ｂで構成することができる。剪断−増粘材料１４６は、中底の上部層１４４ａと下部層１４４ｂの間に収容又は位置付けることができる。剪断−増粘材料１４６は、剪断−増粘流体、非ニュートン流体、ダイラタント、又は剪断速度と共に粘性が増加するあらゆる流体とすることができる。
【００３７】
速度依存性中底１４２は、少なくとも１つのリボン（図示せず）を剪断−増粘材料１４６内に含むことができる。少なくとも１つのリボンは、図１Ａ〜図１Ｃに説明したようなものとすることができる。少なくとも１つのリボンは、剪断−増粘材料１４６を活性化して靴１４０内に置かれたユーザの足に支持を与えることができる。
【００３８】
単一速度依存性中底１４２が描かれているが、１つ以上の速度依存性中底１４２を靴１４０に使用することができる。速度依存性テザー１４２は、最も多くの剪断応力を受ける靴１４０の領域に戦略的に配置することができる。例えば、速度依存性中底１４２は、中足又はかかと区域に配置することができる。速度依存性中底１４２は、靴１４０の外側１４８又は内側１５０にオフセットさせることができる。
【００３９】
図１２は、靴１４０に使用された速度依存性中底１４２の斜視図を示している。速度依存性中底１４２は、ユーザの足の下に１８０°包み込むことができる。これに代えて、速度依存性中底１４２は、ユーザの足の下に１８０°よりも多く又は少なく包み込むことができる。速度依存性中底１４２は、矢印１５２、１５４（図１３）の方向の運動の横及び直線方向変化によって活性化された時に動的支持を与えることができる。
【００４０】
図１３を参照すると、及び図１Ａ〜図１Ｃを参照して上述したように、例えばユーザによる激しい活動がない通常条件下では、速度依存性中底１４２の変形抵抗は低い。しかし、例えば移動が矢印１５２の方向に示される活発なレベルでは、速度依存性中底１４２の変形抵抗は、通常条件下と比較して高いとすることができる。活発なレベルは、例えばスポーツイベント又は激しい活動に参加する際に足の方向転換時に受ける場合がある。活発なレベルになると、剪断−増粘材料が活性化され、速度依存性中底１４２の高い変形抵抗をもたらす。この高い抵抗は、靴１４０内のユーザの足に支持及び安定性を与える。
【００４１】
速度依存性中底１４２は、ユーザ及び／又は活動にカスタマイズすることができる。すなわち、外側１４８で多くの歪みを受けるユーザに関して、速度依存性中底１４２は、激しい活動中に最大支持をその区域に与えるように設計することができる。これに代えて、内側１５０で多くの歪みを受けるユーザに関して、速度依存性中底１４２は、激しい活動中に最大支持をその区域に与えるように設計することができる。同様に、これは、例えば、足首、かかと、アーチなどのような足の異なる区域に適用することができる。
【００４２】
図１４は、図１Ａ〜図１Ｃに関して説明した方式で作動する剪断−増粘材料１６２を使用する支持体１６０を描いている。支持体１６０は、足首支持体とすることができる。支持体１６０は、剪断−増粘材料１６２で含浸された材料で構成することができる。この材料は、織布、延伸性布、又は弾力性包帯布とすることができる。支持体を構成するのに使用される材料のいずれか又は全ては、剪断−増粘材料１６２又は剪断速度に基づいて粘性が増加する他の材料又は流体で含浸することができる。含浸された支持体１６０は、支持すべき区域に接触して剪断−増粘材料１６２を保持するために材料のスリーブに封入することができる。
【００４３】
支持体１６０は、履物１６４の物品に直接に組み込まれるか、又はこれに代えて履物１６４を身に付ける前にユーザによって着用される装身具として与えることができる。履物１６４を身に付ける前に着用することができる例示的支持体１６０は、図１４に示されている。追加の例示的支持体１６０は、履物１６４の下に着用するための、例えばスリーブとして構成することができる。履物１６４の物品の中に直接に組み込むことができる例示的支持体１６０は、履物１６４に直接に取り付けられてその後に足、足首、及び／又はふくらはぎの周りを包み込んでその支持を与える剪断−増粘材料１６２で含浸された材料の各部分を含むことができる。例は、Ｖｉｂｒａｍ（登録商標）Ｆｕｒｏｓｈｉｋｉ靴又はＮｉｋｅ（登録商標）Ｈｕａｒａｃｈｅ  Ｓｈｏｅｓを含む。これに代えて、剪断−増粘材料１６２で含浸された材料は、履物１６４と一体形成することができるスリーブとして構成することができる。このようにして、ユーザは、足をスリーブの中に、次に、直接、履物１６４の中に滑り込ませることができる。
【００４４】
剪断−増粘材料含浸支持体１６０は、上述のシステムを参照して説明したように非使用通常条件下で低い剪断応力を受けると考えられる。これは、ユーザが望ましい身体部分、例えば、足首を包むことを可能にすることができる。これに代えて、これは、ユーザが剪断−増粘材料を含む靴を簡単に身に付けることを可能にすることができる。ユーザは、足首を包み始める時又は靴を履く時に抵抗をほとんど又は全く受けないと考えられる。ユーザが支持体１６０を延伸して足首を包み続けると、剪断−増粘材料は活性化することができる。剪断−増粘材料１６２の活性化は、支持体１６０を硬化させることができ、すなわち、足首のような身体部分に安定性及び支持を与える。
【００４５】
剪断−増粘材料１６２は、その臨界剪断速度に基づいて選択することができる。剪断−増粘材料１６２は、特定のユーザ及び／又は活動に対して必要であるようなより多くの又はより少ない安定性を与えるように選択することができる。剪断−増粘材料１６２は、支持体１６０の少量の延伸後に活性化されて剛性支持を与えるように選択することができる。これに代えて、剪断−増粘材料１６２は、支持体１６０のより長い延伸後に活性化され、上述の支持体ほど剛性ではない支持体１６０を与えるように選択することができる。
【００４６】
支持体１６０は、活動中又は負傷中のユーザに安定性及び支持を与えることができる。剪断−増粘材料１６２によってそれが延伸された状態で受ける高い抵抗は、支持体１６０が弛むのを防止し、代わりに支持体１６０をユーザの上で保持し、包み込まれた身体部分を安定させることができる。これに加えて又はこれに代えて、支持体１６０は、ゆっくりした及び／又は小さい移動に対して低い抵抗を与えて高い運動範囲を提供し、一方で同じく急激な及び／又は大きい移動に対して高い抵抗を与えて十分な支持及び負傷防止することができる。
【００４７】
図１５を参照すると、フットコーン１８２を有する靴１８０の斜視図が描かれている。フットコーン１８２は、ハウジング１８４を含むことができ、剪断−増粘材料１８６がそこに位置付けられている。フットコーン１８２は、シートである場合がある。フットコーン１８２は、それが靴１８０又はユーザの足の形状に適合する又は湾曲することができるように可撓性とすることができる。フットコーン１８２は、１つ又は２つ以上の接続部１８８をフットコーン１８２の第１側１８９に含むことができる。接続部１８８は、ひも穴とすることができる。靴ひも１９０は、従来の方式で靴１８０上の接続部１８８及びひも穴１９２を通して螺入することができる。フットコーン１８２は、フットコーン１８２の第２側１９４で靴１８０と一体形成することができる。これに代えて、第２側１９４は、フットコーン１８２を第２靴ひも１９０で靴１８０に結合するための類似の接続部１８８を含むことができる。すなわち、フットコーン１８２は、ユーザが望むように靴１８０に含めるか又はそこから割愛することができる。これに加えて、これは、フットコーン１８２が靴の長軸に沿って上方又は下方に移動される及び／又は靴の短軸に沿って横方向に移動されることを可能にすることができる。接続部１８８は、アンカー、中空部分、又はひも穴とすることができる。
【００４８】
フットコーン１８２は、フットコーン１８２がシートとして構成されることを除き、図１Ａ〜図１Ｃの速度依存性テザー１０と同じように構成することができる。フットコーン１８２は、速度依存性テザー１０よりも広い場合がある。フットコーン１８２は、図１Ａ〜図１Ｃに関して上述したように、剪断−増粘流体１８６内に位置付けられた１つ又は２つ以上のリボン（図示せず）を含むことができる。１つ又は２つ以上のリボンは、ハウジング１８４の対向するコーナ間に斜めに、ハウジング１８４内でランダムに、又はそのあらゆる組合せでフットコーン１８２の垂直軸線１９６、フットコーン１８２の水平軸線１９８と位置合わせすることができる。これに代えて、リボンは、割愛することができ、フットコーン１８２は、剪断−増粘材料１８６の変化のみに基づいて作動することができる。剪断−増粘材料１８６は、剪断−増粘流体、非ニュートン流体、ダイラタント、又は剪断速度と共に粘性が増加するあらゆる材料のうちの少なくとも１つとすることができる。フットコーン１８２は、以前の実施形態に関して上述したのと同じ方式で靴１８０及び／又はユーザに支持を与えることができる。靴ひも１９０は、従来の結び靴ひも、非結び靴ひも、又はワイヤ及びクランク閉鎖システムのワイヤとすることができる。
【００４９】
図１６を参照すると、バンド２０２が靴２００の先端にある靴２００の斜視図が描かれている。バンド２０２は、ハウジング２０４を含むことができ、剪断−増粘材料２０６がそこに位置付けられている。バンド２０２は、それが靴２００あるいはユーザの足の形状に適合する又は湾曲することができるように可撓性とすることができる。バンド２０２は、１つ又は２つ以上の接続部２０８をバンド２０２の両側に含むことができる。接続部２０８は、アンカー、中空部分、又はひも穴とすることができる。接続部２０８は、縫い付けられた又は接着された接続部のような恒久的接続部とすることができる。接続部２０８は、靴２００上の１つ又は２つ以上のフラップ２１０に結合することができる。フラップ２１０は、靴２００と一体形成され、又は靴２００に解除可能に結合することができる。バンド２０２は、従来の靴ひも２１２と組み合わせて使用することができる。バンド２０２は、靴２００と一体形成することができる。バンド２０２及び／又はフラップ２１０は、バンド２０２をユーザが望むように靴２００に含めるか又はそこから割愛することができるように靴２００に解除可能に結合することができる。これに加えて、これは、バンド２０２が靴２００の長軸に沿って上方又は下方に移動される及び／又は靴２００の短軸に沿って横方向に移動されることを可能にすることができる。
【００５０】
バンド２０２は、バンド２０２が速度依存性テザー１０よりも広い場合があることを除き、図１Ａ〜図１Ｃの速度依存性テザー１０と同じように構成することができる。すなわち、バンド２０２は、図１Ａ〜図１Ｃに関して上述したように、剪断−増粘流体２０６に設けられた１つ又は２つ以上のリボン（図示せず）を含むことができる。１つ又は２つ以上のリボンは、ハウジング２０４の対向するコーナ間に斜めに、ハウジング２０４内でランダムに、又はあらゆるその組合せでフットコーン１８２の垂直軸線１９６、フットコーン１８２の水平軸線１９８と位置合わせすることができる。剪断−増粘材料２０６は、剪断−増粘流体、非ニュートン流体、ダイラタント、又は剪断速度と共に粘性が増加するあらゆる材料のうちの少なくとも１つとすることができる。バンド２０２は、以前の実施形態に関して上述したのと同じ方式で靴２００及び／又はユーザに支持を与えることができる。すなわち、延伸された時に、バンド２０２は、追加の支持を靴２００及び／又はユーザに与えることができる。靴ひも２１２は、従来の結び靴ひも、非結び靴ひも、又はワイヤ及びクランク閉鎖システムのワイヤとすることができる。バンド２０２は、従来の先端ストラップを置換することができる。バンド２０２は、すなわち、従来の先端ストラップ上のＤ−リングに関連付けられた嵩を低減することができ、かつ延伸された時に支持を追加することができる。
【００５１】
図１７を参照すると、靴２２０は、靴２２０のかかと区域にある１つ又は２つ以上のテザー２２２と共に描かれている。テザー２２２は、両端２２４で靴２２０に結合することができる。両端２２４は、本明細書に説明する接続部（例えば、ひも穴、アンカー、中空部分）もいずれか及びその組合せを含むことができる。図示されていないが、対応するテザー２２２を靴２２０の反対側に設けることができる。これに代えて、より多くのテザー２２２を靴２２０の各側に設けることができる。図１８を参照すると、靴２３０には、靴２３０のかかと部分の周りにテザー２３２を設けることができる。テザー２２２、２３２が延伸された時に、テザー２２２、２３２は、追加の支持をユーザの靴２２０、２３０、後足区域、及び／又はかかとに与えることができる。テザー２２２、２３２は、本明細書に説明するテザー及び／又はバンド２０２のいずれかとすることができる。テザー２２２、２３２は、本明細書に説明する方式のいずれかで靴２２０、２３０にそれぞれ結合することができる。テザー２２２、２３２は、迅速な移動に対して調節するかかと保持システムを生成することができる。
【００５２】
図１９を参照すると、靴２４０は、１つ又は２つ以上のテザー２４２と共に描かれている。１つ又は２つ以上のテザー２４２は、速度依存性テザー１０とすることができる。１つ又は２つ以上のテザー２４２は、靴２４０の内側２５０から靴２４０の外側（図示せず）まで延びることができる。靴２４０の内側２５０は、従来の靴ひもと共に使用するための１つ又は２つ以上のひも穴を有するストラップ２５２を含むことができる。ストラップ２５２は、靴２４０の内側２５０と一体であるか、縫い付けられるか、接着されるか、又は取外し可能に結合することができる。対応するストラップは、靴２４０の外側（図示せず）に設けることができる。１つ又は２つ以上のテザー２４２は、２つのストラップ２５２間を延びることができる。１つ又は２つ以上のテザー２４２は、対応するストラップ２５２に結合するために両端上に接続部２４４を含むことができる。接続部２４４は、以前の実施形態に関して上述したように、ひも穴、アンカー、中空部分、又はその組合せとすることができる。靴２４０の中間靴底構成体２４８は、内側２５０から外側まで延びる１つ又は２つ以上の開口又は溝２４６を含むことができる。各テザー２４２は、ストラップ２５２に接続部２４４で結合し、中間靴底構成体２４８の溝２４６を通って延び、反対側を出て第２ストラップ２５２（図示せず）に第２接続部２４４で結合することができる。すなわち、テザー２４２は、ユーザの足のアーチの下に延びることができる。１つ又は２つ以上のテザー２４２は、より大きい快適性及びピッタリ感が得られるように靴の甲を足まで引くことができる。標準的な閉鎖システム、例えば、従来の靴ひもは、アクセス性を考慮している。１つ又は２つ以上のテザー２４２の各々は、同じ抵抗を有することができ、又は各々は、以下でより詳細に説明するように異なる抵抗を有することができる。例えば、中間テザー２４２は、いずれの側のテザー２４２よりも高い又は低い抵抗を有することができる。これは、ユーザ定義式システムがユーザの足に対して望ましい支持及び／又は快適性を生成することを可能にすることができる。
【００５３】
図２０Ａ及び図２０Ｂを参照すると、靴２６０は、１つ又は２つ以上のテザー２６２と共に描かれている。１つ又は２つ以上のテザー２６２は、速度依存性テザー１０とすることができる。靴２６０は、１つ又は２つ以上のテザー２６２の対応する１つに結合するための１つ又は２つ以上の接続部２６６を含むことができる。テザー２６２の第１端部２６８は、例えば、アンカー、中空部分、ひも穴などの上述の方式のうちの１つで接続部２６６に結合することができる。テザー２６２は、次に、靴２６０の基部又は靴底内の対応する溝２６４を通って延びるか又はそれによって受け入れられ、靴２６０の反対側（図示せず）で接続部２６６に結合することができる。テザー２６２は、フットコーン（図１５）又はサドル（図８Ａ）の両側を結合するための連続的なバンドを与えることができる。３つのテザー２６２が描かれているが、より多くの又はより少ないものを設けることができる。１つ又は２つ以上のテザー２６２は、フットコーン又はサドルの移動が靴２６０及び／又はユーザに支持を与えることを可能にすることができる。
【００５４】
図２１Ａ及び図２１Ｂを参照すると、靴２８０は、１つ又は２つ以上のテザー２８２と共に描かれている。１つ又は２つ以上のテザー２８２は、速度依存性テザー１０とすることができる。靴２８０は、第１テザー２８２ａを通して延ばすためのボア又は接続部２８４を含むことができる。靴２８０は、第２テザー２８２ｂを通して延ばすための第２接続部２８４（図示せず）を靴の反対側に含むことができる。靴２８０には、１つ又は２つ以上のテザー２８２を受け入れるための溝２８６をその基部又は靴底に設けることができる。例えば、第１テザー２８２ａは、テザー２８２ａの両端で接続部２８８を有することができる。１つの接続部２８８は、第１溝２８６ａ内で靴２８０の底部上に設けられた接続部２９０に結合することができる。第１テザー２８２ａは、第１接続部２９０に結合し、第１溝２８６ａを通って延びることができる。第１テザー２８２ａは、次に、接続部２８４を通って第２溝２８６ｂの中に延びることができる。第１テザー２８２ａの反対端は、溝２８６ｂ内で第２接続部２９０に結合することができる第２接続部２８８を有することができる。第２テザー２８２ｂは、テザー２８２ｂの両端で接続部２８８を有することができる。１つの接続部２８８は、第３の溝２８６ｃ内で靴２８０の底部上に設けられた接続部２９０に結合することができる。第２テザー２８２ｂは、第１接続部２９０に結合し、第３の溝２８６ｃを通って延びることができる。第２テザー２８２ｂは、次に、第２接続部２８４（図示せず）を通って第４の溝２８６ｄの中に延びることができる。第２テザー２８２ｂの反対端は、溝２８６ｄ内で第２接続部２９０に結合することができる第２接続部２８８を有することができる。接続部２８８及び２９０は、接続部が靴の機能を妨げないように溝２８６内に設けることができる。第１テザー２８２ａ及び第２テザー２８２ｂは、足を取り囲むことによって先端ストラップを靴に固定することができる。先端ストラップは、図１６の２０２とすることができる。２つのテザー２８２が描かれているが、より多くの又はより少ないものを設けることができる。テザー２８２は、先端ストラップの移動が靴２６０及び／又はユーザに支持を与えることを可能にすることができる。
【００５５】
テザー１０、３２、５４、７４、９２、１０２、１１２、２２２、２３２、２４２、２６２、又は２８２のような本明細書に説明するテザーのいずれも、ユーザがそれぞれの靴と共に使用される特定の抵抗又は抵抗の組合せを選択することができるように複数の抵抗でユーザに提供することができる。図１７を再び参照すると、例えば、テザー２２２ａ、２２２ｂ、及び２２２ｃの各々は、それぞれ異なる剪断−増粘材料２２６ａ、２２６ｂ、２２６ｃを含むことができる。剪断−増粘材料２２６ａは、剪断−増粘材料２２６ｂよりも高い粘性、かつ剪断−増粘材料２２６ｃよりも低い粘性を有することができる。すなわち、ユーザは、ある一定程度の支持が望ましい時にテザー２２２ａ、テザー２２２ａよりも少ない支持が望ましい時にテザー２２２ｂ、及びテザー２２２ａよりも多くの支持が望ましい時にテザー２２２ｃを使用するように選択することができる。一部の実施形態では、ユーザは、テザー２２２ａを靴２２０の片側で使用し、テザー２２２ｂ又は２２２ｃの一方を靴２２０の反対側で使用するように選択することができる。このようにして、ユーザは、活動、ユーザの特定の身体的な適応性、能力、又は条件に対する望ましい支持レベルを選択することができる。これに加えて、上述のテザーのいずれも、取外し可能及び交換可能とすることができる。このようにして、ユーザは、テザーが摩耗、破断した場合又は異なる望ましい抵抗を得るためなどでテザーを取り外して交換することができる。
【００５６】
本発明は、従来の靴ひもを置換又は補完することができる速度依存性テザーに関する。速度依存性テザーは、靴の中に直接に組み込まれるか、又はこれに代えて靴ひもを置換する補修部品市場装身具として与えることができる。速度依存性テザーは、例えば、ランニング、サイクリング、スキーのような活動中に、及び他のスポーツイベント（バスケットボール、サッカー、ゴルフ、バレーボール、フットボールなど）に参加中にテザーが剪断歪みを受ける時にユーザ上に靴を保持することができる。速度依存性テザーは、従って、動的な非結び靴ひもを与える。速度依存性テザーは、前足サドルを有する靴上に設けることができる。速度依存性テザーは、靴での使用に関して本明細書に説明するが、速度依存性テザーは、他のスポーツ器具及び衣料に使用することができることも考えられている。
【００５７】
本発明はまた、靴内に設けることができる速度依存性中底に関する。速度依存性中底は、横又は直線方向変化によって活性化された時に動的支持を与えることができる。速度依存性中底は、例えば、ランニング、サイクリング、スキー、ハイキングのような活動中に、及び他のスポーツイベント（バスケットボール、サッカー、ゴルフ、バレーボール、フットボールなど）に参加中に中底が剪断歪みを受ける時に活性化することができる。速度依存性中底は、靴での使用に関して本明細書に説明するが、速度依存性中底は、他のスポーツ器具及び衣料に使用することができることも考えられている。
【００５８】
本発明はまた、流体のような剪断−増粘材料をそこに含浸させた足首支持体に関する。足首支持体は、例えば、ランニング、サイクリング、スキーのような活動中に、及び他のスポーツイベント（バスケットボール、サッカー、ゴルフ、バレーボール、フットボールなど）に参加中に支持体が剪断歪みを受ける時に３６０度支持をユーザに与えることができる。支持体は、足首上に着用されるように説明するが、支持体は、手首、前腕、大腿四頭筋、背中、ふくらはぎ、膝、肘などを含むあらゆる身体部分を支持するために着用することができることは理解される。
【００５９】
本発明はまた、流体のような剪断−増粘材料をそこに位置付けたフットコーン及びバンドに関する。フットコーン及びバンドは、靴上に設けることができる。フットコーン及びバンドは、例えば、ランニング、サイクリング、スキー、ハイキングのような活動中に、及び他のスポーツイベント（バスケットボール、サッカー、ゴルフ、バレーボール、フットボールなど）に参加中にフットコーン及びバンドが剪断歪みを受ける時に活性化することができる。フットコーン及びバンドは、靴での使用に関して本明細書に説明するが、フットコーンは、他のスポーツ器具及び衣料に使用することができることも考えられている。
【００６０】
本明細書に例示して議論した実施形態は、本発明を製作かつ使用するための本発明者が知っている最良の方法を当業者に教示することのみを意図している。本明細書内のいずれも本発明の範囲を限定するように考えてはいけない。提示した全ての例は、代表的かつ非限定的である。本発明の上述の実施形態は、上述の教示に照らして当業者によって認められるように、本発明から逸脱することなく修正又は変更することができる。従って、特許請求の範囲及びそれらの均等物の範囲内で、本発明は、具体的に説明した以外に実施することができることは理解される。
【符号の説明】
【００６１】
３０  靴
３２  テザー
３４  接続部
４２  内側
４４  外側
【図１Ａ】
2020524590.tif 000003
【図１Ｂ】
2020524590.tif 000004
【図１Ｃ】
2020524590.tif 000005
【図２Ａ】
2020524590.tif 000006
【図２Ｂ】
2020524590.tif 000007
【図３】
2020524590.tif 000008
【図４】
2020524590.tif 000009
【図５Ａ】
2020524590.tif 000010
【図５Ｂ】
2020524590.tif 000011
【図６Ａ】
2020524590.tif 000012
【図６Ｂ】
2020524590.tif 000013
【図７Ａ】
2020524590.tif 000014
【図７Ｂ】
2020524590.tif 000015
【図８Ａ】
2020524590.tif 000016
【図８Ｂ】
2020524590.tif 000017
【図９】
2020524590.tif 000018
【図１０】
2020524590.tif 000019
【図１１Ａ】
2020524590.tif 000020
【図１１Ｂ】
2020524590.tif 000021
【図１２】
2020524590.tif 000022
【図１３】
2020524590.tif 000023
【図１４】
2020524590.tif 000024
【図１５】
2020524590.tif 000025
【図１６】
2020524590.tif 000026
【図１７】
2020524590.tif 000027
【図１８】
2020524590.tif 000028
【図１９】
2020524590.tif 000029
【図２０Ａ】
2020524590.tif 000030
【図２０Ｂ】
2020524590.tif 000031
【図２１Ａ】
2020524590.tif 000032
【図２１Ｂ】
2020524590.tif 000033
【国際調査報告】
2020524590.tif 000034
2020524590.tif 000035
2020524590.tif 000036